(57)【特許請求の範囲】
【請求項１】
地面に掘削孔を形成し、前記掘削孔に地中熱交換器に係る管部材を建て込む方法であって、
掘削管の管軸方向を掘削方向に向けながら前記掘削管を管軸周りに回転させて掘削することにより、前記地面に前記掘削孔を形成する掘削工程と、
前記掘削管の管軸方向に前記管部材の管軸方向を沿わせつつ前記掘削管内に前記管部材を建て込む管部材建て込み工程と、
前記掘削孔の口部よりも上方に突出する前記管部材の上端部に、該上端部を覆って保護する、取り外し可能な保護キャップを、前記管部材建て込み工程の後に取り付ける保護キャップ取り付け工程と、
前記保護キャップを前記管部材の前記上端部に取り付けた状態で、前記掘削管を管軸方向に沿って引き上げることにより、前記掘削孔内に前記管部材を残しつつ、前記掘削孔から前記掘削管を引き抜く掘削管引き抜き工程と、
前記保護キャップを、前記掘削孔内に残された前記管部材の前記上端部から取り外す保護キャップ取り外し工程と、を有することを特徴とする地中熱交換器に係る管部材の地面の掘削孔への建て込み方法。
【請求項２】
請求項１に記載の地中熱交換器に係る管部材の地面の掘削孔への建て込み方法であって、
前記保護キャップは、円筒部と蓋部とを有する有蓋円筒体であり、
前記保護キャップの外径は、前記掘削管の内径の最小寸法よりも小さく、前記保護キャップの内径は、前記管部材の上端部を収容可能な大きさに設定されていることを特徴とする地中熱交換器に係る管部材の地面の掘削孔への建て込み方法。
【請求項３】
請求項１又は２に記載の地中熱交換器に係る管部材の地面の掘削孔への建て込み方法であって、
前記掘削管引き抜き工程と、前記保護キャップ取り外し工程との間には、
前記掘削孔と前記管部材との間に、前記掘削孔の上方から充填材を充填する充填工程を有し、
前記充填工程では、前記保護キャップが前記管部材の前記上端部に取り付けられた状態のまま、前記充填材が前記保護キャップの上方から前記掘削孔内へ充填されることを特徴とする地中熱交換器に係る管部材の地面の掘削孔への建て込み方法。
【発明の詳細な説明】
【技術分野】
【０００１】
本発明は、地中熱交換器に使用される管部材を地面の掘削孔へ建て込む方法に関する。
【背景技術】
【０００２】
通年の温度変動の小さい地中熱を利用して建物の冷暖房等を行う地中熱利用システムが注目されている。この地中熱利用システムでは、地盤との間で採・放熱を行うべく地中に地中熱交換器が設置される。そして、例えば、夏場には地盤に放熱し、冬場には地盤から採熱する。
【０００３】
この地中熱交換器は、地盤に鉛直に埋設される管部材を有する。そして、この管部材内に熱媒体を流し込むとともに、地中熱と熱交換後に当該熱媒体を取り出す等して、ヒートポンプ等へ送出して利用する（特許文献１）。
【先行技術文献】
【特許文献】
【０００４】
【特許文献１】特開２００２−１３８２８号公報
【発明の概要】
【発明が解決しようとする課題】
【０００５】
かかる地中熱交換器は、例えば次のようにして地中に設置される。  
先ず、ドリルとなる掘削管を管軸周りに回転させて掘削方向に前進させることにより、掘削孔を形成する。なお、この掘削孔が完成した時点では、掘削孔内の略全長に亘り掘削管は挿入状態にある（例えば、図３Ｂ、図４Ａを参照）。  
次に、掘削管の管軸方向に、建て込み対象の管部材の管軸方向を沿わせつつ同管部材を掘削管内に建て込む（例えば、図４Ｂ、図４Ｃを参照）。ちなみに、この時、掘削管は、掘削孔の内壁面の崩落を防ぐ孔壁保護部材として機能し、また、管部材の掘削孔への建て込みを案内する案内部材としても機能する。  
次に、掘削管を管軸方向に沿って引き上げることにより、管部材を掘削孔に残しつつ、掘削管のみを掘削孔から引き抜く（例えば、図５Ａ、図５Ｂを参照）。  
そして、最後に、掘削孔と管部材との間の隙間を適宜な充填材で埋め戻す（例えば、図５Ｃを参照）。
【０００６】
しかしながら、上述の掘削孔から掘削管を引き抜く際には、その内周側に位置する管部材の上端部が自由端であることもあって、当該上端部は特に掘削管の内周面と接触し易く、損傷の危険があった。
【０００７】
本発明は、上記のような従来の問題に鑑みなされたものであって、その主な目的は、掘削孔から掘削管を引き抜く際に、掘削管内の管部材の上端部と掘削管との接触による損傷を防止することにある。
【課題を解決するための手段】
【０００８】
かかる目的を達成するために請求項１に示す発明は、
地面に掘削孔を形成し、前記掘削孔に地中熱交換器に係る管部材を建て込む方法であって、
掘削管の管軸方向を掘削方向に向けながら前記掘削管を管軸周りに回転させて掘削することにより、前記地面に前記掘削孔を形成する掘削工程と、
前記掘削管の管軸方向に前記管部材の管軸方向を沿わせつつ前記掘削管内に前記管部材を建て込む管部材建て込み工程と、
前記掘削孔の口部よりも上方に突出する前記管部材の上端部に、該上端部を覆って保護する、取り外し可能な保護キャップを、前記管部材建て込み工程の後に取り付ける保護キャップ取り付け工程と、
前記保護キャップを前記管部材の前記上端部に取り付けた状態で、前記掘削管を管軸方向に沿って引き上げることにより、前記掘削孔内に前記管部材を残しつつ、前記掘削孔から前記掘削管を引き抜く掘削管引き抜き工程と、
前記保護キャップを、前記掘削孔内に残された前記管部材の前記上端部から取り外す保護キャップ取り外し工程と、を有することを特徴とする。
【０００９】
上記請求項１に示す発明によれば、掘削孔から掘削管を引き抜く際には、掘削孔内に残される管部材の上端部は、保護キャップで覆われており、これにより、掘削管との接触から保護されている。よって、上記掘削管の引き抜き時に掘削管から被り得る管部材の上端部の損傷を防ぐことができる。
【００１０】
請求項２に示す発明は、請求項１に記載の地中熱交換器に係る管部材の地面の掘削孔への建て込み方法であって、
前記保護キャップは、円筒部と蓋部とを有する有蓋円筒体であり、
前記保護キャップの外径は、前記掘削管の内径の最小寸法よりも小さく、前記保護キャップの内径は、前記管部材の上端部を収容可能な大きさに設定されていることを特徴とする。
【００１１】
上記請求項２に示す発明によれば、有蓋円筒体であるので、管部材の上端部への取り付け時には、当該上端部に蓋部が当接して吊り下げ支持される。よって、特に支持部材を設けずとも、保護キャップは管部材の上端部から落下せずに、掘削管の内側に留まって、管部材の上端部を掘削管との接触から保護する。  
また、保護キャップの内外径は、上記寸法に設定されているので、管部材の上端部を確実に収容しつつ、掘削管の引き抜き時に掘削管から被り得る管部材の上端部の損傷を確実に防止可能となる。
【００１２】
請求項３に示す発明は、請求項１又は２に記載の地中熱交換器に係る管部材の地面の掘削孔への建て込み方法であって、
前記掘削管引き抜き工程と、前記保護キャップ取り外し工程との間には、
前記掘削孔と前記管部材との間に、前記掘削孔の上方から充填材を充填する充填工程を有し、
前記充填工程では、前記保護キャップが前記管部材の前記上端部に取り付けられた状態のまま、前記充填材が前記保護キャップの上方から前記掘削孔内へ充填されることを特徴とする。
【００１３】
上記請求項３に示す発明によれば、充填材の充填時にも、保護キャップが管部材の上端部に取り付けられているので、当該上端部は、充填材との衝突からも保護される。よって、管部材の上端部の損傷を確実に防ぐことができる。
【発明の効果】
【００１４】
本発明によれば、掘削孔から掘削管を引き抜く際に、掘削管内の管部材の上端部と掘削管との接触による損傷を防止可能となる。
【図面の簡単な説明】
【００１５】
【図１】本実施形態に係る地中熱交換器２１を用いた地中熱利用システム１１の説明図である。
【図２】図２Ａは、地盤Ｇの竪孔２３を透視して見た地中熱交換器２１の概略側面図であり、図２Ｂは、図２Ａ中のＢ−Ｂ断面図である。
【図３】図３Ａ及び図３Ｂは、地中熱交換器２１の設置工事の施工手順の説明図である。
【図４】図４Ａ乃至図４Ｃは、同施工手順の説明図である。
【図５】図５Ａ乃至図５Ｃは、同施工手順の説明図である。
【図６】上下に隣り合う掘削管２４，２４同士の連結構造の概略拡大縦断面図である。
【図７】図７Ａは、保護キャップ９０の概略中心縦断面図であり、図７Ｂは、図７Ａ中のＢ−Ｂ断面図である。
【発明を実施するための形態】
【００１６】
＝＝＝本実施形態＝＝＝
＜＜＜地中熱交換器２１について＞＞＞
図１は、本実施形態に係る地中熱交換器２１を用いた地中熱利用システム１１の説明図である。図２Ａは、地盤Ｇの竪孔２３を透視して見た地中熱交換器２１の概略側面図であり、図２Ｂは、図２Ａ中のＢ−Ｂ断面図である。
【００１７】
この地中熱利用システム１１は、地盤Ｇとの間で熱交換を行う地中熱交換器２１と、地中熱交換器２１の熱媒体２６からの熱を利用して建物１の暖房のための温水や冷房のための冷水を生成するヒートポンプ１５と、循環ポンプ１７とを有する。なお、ヒートポンプ１５の構成は周知なので、その説明は省略する。
【００１８】
図２Ａ及び図２Ｂに示すように、この地中熱交換器２１は、所謂「ボアホール方式」である。すなわち、地盤Ｇに形成された掘削孔としての竪孔２３と、竪孔２３に挿入されるＵ字管３０と、竪孔２３とＵ字管３０との間の空間ＳＰ２３に充填される充填材２７と、を有している。そして、Ｕ字管３０の一方の管端開口３５ａには、ヒートポンプ１５から熱媒体２６として水又は不凍液等が送り込まれ、当該熱媒体２６は、Ｕ字管３０を流れる間に地盤Ｇの地中熱により加熱又は冷却され、しかる後に、Ｕ字管３０の他方の管端開口３５ｂから、循環ポンプ１７によりヒートポンプ１５へ向けて送られて、ヒートポンプ１５にて温水生成や冷水生成に供される。
【００１９】
竪孔２３は、ボーリングマシン６０により地面Ｇにほぼ垂直に掘削された孔であり、その直径は１００〜２００ｍｍ、深さは３０〜１５０ｍである。
【００２０】
Ｕ字管３０は、例えば高密度ポリエチレン等の樹脂製のＵ字形状の管である。詳しくは、当該Ｕ字管３０は、熱媒体２６の流路の折り返し部分をなすＵ字継手部３１と、Ｕ字継手部３１に連結される二本の単管３５，３５とを有し、当該Ｕ字継手部３１を竪孔２３の最深部に位置させつつ、２本の単管３５，３５の各管端開口３５ａ，３５ｂを、それぞれ竪孔２３の外に突出させている。そして、これら管端開口３５ａ，３５ｂのうちの一方３５ａは、ヒートポンプ１５から送られる熱媒体２６の取入口となり、他方３５ｂは、地盤Ｇとの間で熱交換した熱媒体２６をヒートポンプ１５へ送り出す送出口となる。
【００２１】
なお、図示例では、一つの竪孔２３につき、かかるＵ字管３０，３０が一対設けられている。つまり、図２Ａでは、奥側に隠れて見えないが、先端のＵ字継手部３１，３１を重ね合わせた状態で、一対のＵ字管３０，３０が竪孔２３内に建て込まれており、これにより、図２Ｂに示すように計４本の単管３５，３５，３５，３５が配されている。よって、本実施形態では、一対のＵ字管３０，３０のひとまとまりが、請求項に係る「管部材」に相当する。但し、Ｕ字管３０の数は何等一対に限るものではなく、一つでも良い。ちなみに、Ｕ字管３０，３０を一対で設ける場合には、建て込み時の竪孔２３への挿入性を考えると、Ｕ字継手部３１，３１同士を互いに上下にずらして固定すると良く、このようにすれば、これらＵ字管３０，３０において建て込み時に先頭になる部分のサイズが小さくなって、竪孔２３内への建て込み性が良好になる。
【００２２】
充填材２７は、例えば、モルタル、川砂や山砂、珪砂等を基材とし、Ｕ字管３０と竪孔２３との間の空間ＳＰ２３に密実に充填される。これにより、充填材２７を介して、Ｕ字管３０内の熱媒体２６と地盤Ｇとの間で熱交換が行われる。なお、この熱交換効率を高めるべく、充填材２７に対して、１〜２０％の容積含有率（＝長粒物の総容積／充填材２７の総容積）で、炭化ケイ素、アルミナ、及び高炉スラグのうちの少なくとも何れか１種からなる長粒物を混入しても良い。
【００２３】
＜＜＜地中熱交換器２１の設置工事について＞＞＞
図３Ａ乃至図５Ｃは、地中熱交換器２１の設置工事の施工手順の説明図である。なお、図３Ａ乃至図５Ｃでは、一部の構成を側面視で示し、それ以外の構成は縦断面視で示している。また、図の錯綜を防ぐ目的で、一部の断面部位についてはハッチングを省略している。
【００２４】
先ず、図３Ａに示すように、対象地盤Ｇに、土留め用の塩化ビニル製等の樹脂管２２を、管軸方向を鉛直方向に向けつつ打ち込む。この樹脂管２２は、地盤表層部の崩落を防ぐものであり、その長さは、例えば１〜５ｍの短尺なものである。但し、その管径にあっては、その内周側に上述の竪孔２３が形成されることから、樹脂管２２の内径は、竪孔２３の孔径よりも若干大径に設定される。
【００２５】
次に、図３Ｂに示すように、樹脂管２２の内側の地盤Ｇの部分を掘削することにより、最終的に図４Ａのような孔径１００〜２００ｍｍ、深さ３０〜１５０ｍの竪孔２３を形成する（「掘削工程」に相当）。掘削は、図３Ｂのボーリングマシン６０によってなされる。ボーリングマシン６０は、ドリルとしての鋼製掘削管２４を管軸周りに回転可能に把持するアーム６２を有する。そして、掘削管２４の管軸方向を掘削方向たる略鉛直方向に向けながら管端面を地盤Ｇの掘削面に押し付けて管軸周りに回転させることにより地盤Ｇに竪孔２３を形成する。そして、所定の掘削深さまで達したら、地中の掘削管２４の上方に更に掘削管２４を継ぎ足して同芯に連結し、当該連結を繰り返して目標の掘削深さまで竪孔２３を掘り進めていく。そのため、図４Ａに示すように竪孔２３が完成した際には、竪孔２３内にはその略全長に亘って掘削管２４，２４…の連結体２４Ｇが挿入された状態になっている。
【００２６】
なお、上下の掘削管２４，２４同士を同芯に突き合わせて連結する連結構造としては、ここでは、ねじ構造が使用されている。図６は、この連結構造の説明用の掘削管２４の概略拡大縦断面図である。同図６のように、掘削管２４の上端部たる上側管端部２４ｅｕの内周面には、雌ねじ２５ｆが形成されており、他方、その上方に継ぎ足される掘削管２４の下端部たる下側管端部２４ｅｄの外周面には、雄ねじ２５ｍが形成されている。そして、これら雌ねじ２５ｆと雄ねじ２５ｍとが螺合することにより、これら掘削管２４，２４同士は上下に連結一体化される。ここで、各掘削管２４の外径については、掘削性への配慮から、管軸方向の全長に亘って同径に揃えられているが、内径については、同径ではない。すなわち、上述の雌ねじ２５ｆや雄ねじ２５ｍを設ける際の管壁厚さ確保の関係上、図６に示すようにこれらねじ２５ｍ，２５ｆが螺設される上下の管端部２４ｅｕ,２４ｅｄについては、それ以外の部分よりも小径になっており、よって、内径に関しては全長に亘っては同径ではない。
【００２７】
また、先頭たる最下端の掘削管２４の管端面からは、高圧の削孔水２３ｗが掘削面へ向けて噴射されるようになっており、これにより掘削性が向上されている。なお、この削孔水２３ｗの用途は、掘削に限らない。すなわち、掘削土を泥状にしつつ上方へ浮上させて排土することにも用いられる。よって、掘削終了時には、一般に竪孔２３内には、当該使用済みの削孔水２３ｗが充満している。
【００２８】
そうしたら、この削孔水２３ｗが充満する竪孔２３の掘削管２４内に、図４Ｂ及び図４Ｃに示すように、Ｕ字管３０，３０を、その管軸方向（単管３５の管軸方向のこと）たる長手方向を、掘削管２４の管軸方向たる鉛直方向に沿わせつつ建て込む（「管部材建て込み工程」に相当）。
【００２９】
詳しくは、先ず、Ｕ字管３０をコイル状に巻き取った状態で現場搬入する。この例では、前述のように竪孔２３には一対のＵ字管３０，３０が建て込まれるので、コイル状に巻き取り状態のＵ字管３０ｒ，３０ｒも一対で現場搬入され、そして、地面Ｇに直置きされた一対のリール装置７０，７０に取り付けられる。そして、各リール装置７０は、同巻き取り状態のＵ字管３０ｒを水平回転して繰り出す。すると、繰り出されたＵ字管３０は、竪孔２３の上方に配置された引き上げ機構８０により所定高さまで引き上げられた後に、竪孔２３の略直上で垂下された状態で竪孔２３内へ入っていくという建て込みルートを辿って順次建て込まれる。
【００３０】
ちなみに、Ｕ字管３０の下端部３０ｄを建て込む際には、一対のＵ字管３０，３０のＵ字継手部３１，３１同士を重ね合わせて番線等の適宜な結束具により分離不能に結束固定し、しかる後に、竪孔２３の口部２３ｅｕへ一緒に挿入する。よって、それ以降は、これら一対のリール装置７０，７０同士は互いに連動して従動回転することにより、互いの繰り出し量を揃えながら各々担当するＵ字管３０，３０を繰り出していく。
【００３１】
ところで、望ましくは、この建て込み中には、Ｕ字管３０，３０内への通水を行うと良い。すなわち、Ｕ字管３０において少なくとも竪孔２３内に建て込まれている部分については、管内に水を充満させていると良い。そして、このようにすれば、当該部分の管内空気起因の浮力の発生を無くすことができて、削孔水２３ｗ内へのＵ字管３０，３０の沈降たる建て込みを円滑に行うことが可能となる。
【００３２】
また、建て込み中に、適宜タイミングで削孔水２３ｗの水位を低下すると良い。これは、Ｕ字管３０，３０の密度（０．９３〜０．９６ｋｇ／ｍ３）が、削孔水２３ｗの密度（約１ｋｇ／ｍ３）よりも小さいことに起因して、削孔水２３ｗに建て込まれたＵ字管３０，３０には浮力が働いており、建て込み深さが深くなると、Ｕ字管３０，３０の沈降が進まなくなって、つまり建て込みが進まなくなるためである、よって、この浮力を小さくすべく、排水ポンプやエアブロー装置等により、削孔水２３の液位を適宜タイミングで低下させるのが望ましい。
【００３３】
以上のようにして、Ｕ字管３０，３０を目標の建て込み深さまで建て込んだら（図４Ｃ）、次に、各Ｕ字管３０を各リール装置７０から分離すべくＵ字管３０を切断する。これにより、図５Ａに示すように、Ｕ字管３０の上端部３０ｕ（３５ａ），３０ｕ（３５ｂ）が形成され、また、これら上端部３０ｕ,３０ｕたるＵ字管３０における両方の管端開口３５ａ，３５ｂは、竪孔２３の口部２３ｅｕよりも上方に突出した状態になる。
【００３４】
次に、図５Ａの掘削管２４，２４…の連結体２４Ｇを図５Ｂに示すように上方へ引き抜いて同連結体２４Ｇを竪孔２３から取り出すが、ここで、この連結体２４Ｇを引き抜く際には、各掘削管２４の内周面がＵ字管３０，３０の上端部３０ｕ，３０ｕ…と接触して、これら上端部３０ｕ，３０ｕ…が損傷する虞がある。そのため、図５Ａに示すように、本実施形態では、この引き抜きの前に、Ｕ字管３０，３０の上端部３０ｕ，３０ｕ…に保護キャップ９０を被せるようにしている（「保護キャップ取り付け工程」に相当）。
【００３５】
図７Ａは、この保護キャップ９０の概略中心縦断面図であり、図７Ｂは、図７Ａ中のＢ−Ｂ断面図である。なお、図７Ａ及び図７Ｂでは、保護キャップ９０内に収容されるべきＵ字管３０，３０…の上端部３０ｕ，３０ｕ…も図示している。
【００３６】
保護キャップ９０は、断面正円形状の円筒部９０ａを本体とする。そして、この円筒部９０ａの外径φｏｕｔは、全長に亘って同径であり、且つ掘削管２４の内径の最小径φ２４ｍｉｎよりも小さく設定されている。これにより、掘削管２４のうちで最小内径部となる前述の上下の管端部２４ｅｕ，２４ｅｄ（図６）が保護キャップ９０の位置を通過する際も、互いの間に所定のクリアランスを確保可能なので、通過時の大きな干渉は回避される。他方、円筒部９０ａの内径φｉｎは、一対のＵ字管３０，３０の計４本の上端部３０ｕ，３０ｕ…をひとまとめに収容可能な寸法に設定されている。例えば、図７Ｂに示すように、同内径φｉｎは、一対のＵ字管３０，３０の全て上端部３０ｕ，３０ｕ…の包絡線をなす外接円Ｃ３０ｕの直径以上の径に設定されている（図７Ｂの例では同径）。但し、Ｕ字管３０，３０…の撓み変形によりこれら全ての上端部３０ｕ，３０ｕ…を円筒部９０ａ内に収めることができるのであれば、円筒部９０ａの内径φｉｎを、上述の外接円Ｃ３０ｕの直径より若干小さくしても構わない。
【００３７】
また、図７Ａに示すように、同円筒部９０ａは、蓋部９０ｂを有する有蓋円筒体である。すなわち、円筒部９０ａの上端部には蓋部９０ｂが一体に設けられ、当該蓋部９０ｂは円筒部９０の筒端開口を密閉している。そして、この蓋部９０ｂが、Ｕ字管３０，３０の上端部３０ｕ，３０ｕ…の上に乗ることにより、保護キャップ９０はＵ字管３０，３０に吊り下げ支持される。更に、この保護キャップ９０は或る程度の重みを有するステンレス鋼等の金属製である。
【００３８】
よって、図５Ｂに示すように、かかる保護キャップ９０を取り付けた状態で、Ｕ字管３０，３０…を竪孔２３に残しつつ、掘削管２４を引き抜く（「掘削管引き抜き工程」に相当）際にも、各掘削管２４と大きく干渉すること無く、また、その重みに基づいて保護キャップ９０は確実にＵ字管３０，３０の上端部３０ｕ，３０ｕ…にしっかりと留まることができて、結果、掘削管２４の竪孔２３からの引き抜き時に被り得るＵ字管３０，３０の上端部３０ｕ，３０ｕ…の損傷を有効に防止可能となる。
【００３９】
ちなみに、引き抜いて地上に出てきた掘削管２４については、前述の上下の管端部２４ｅｕ，２４ｅｄの連結構造にて、地中の掘削管２４，２４…から分離する。
【００４０】
そして、この掘削管２４，２４…の連結体２４Ｇの引き抜き作業が終わったら、最後に、図５Ｃに示すように竪孔２３内に充填材２７を入れてＵ字管３０，３０を埋める（「充填工程」に相当）。
【００４１】
この充填材２７を入れる方法としては、例えば漏斗９５を用いることが挙げられ、また、その場合には、Ｕ字管３０，３０の上端部３０ｕ，３０ｕ…には上述の保護キャップ９０を被せたままにしておく。すなわち、竪孔２３の内周面と保護キャップ９０の外周面との間に、漏斗９５の下端部の略円筒部９５ｐが入るように漏斗９５を配置する。また、この時、漏斗９５の下端部たる略円筒部９５ｐの内周面と保護キャップ９０の外周面との間にはクリアランスが形成されるように配置する。  
そうしたら、充填材２７を貯留するホッパー９８を漏斗９５の上方にミニクレーン９９等で持ち上げ、その状態でホッパー９８の下端開口９８ａを開く。すると、漏斗９５上に充填材２７が落下するが、これら落下した充填材２７は、漏斗９５上を滑落しながらその平面中心側へと誘導されて、同漏斗９５の下端部の略円筒部９５ｐと保護キャップ９０との間のクリアランスを通って竪孔２３内へと順次落ちていく。これにより、充填材２７が竪孔２３内に充填されてＵ字管３０，３０が埋設される。なお、この時、ホッパー９８から落下する充填材２７は保護キャップ９０に当たるが、このことにより、Ｕ字管３０，３０の上端部３０ｕ，３０ｕ…は充填材２７の衝突から保護されるので、同上端部３０ｕ，３０ｕ…の損傷は確実に防止される。
【００４２】
そうしたら、最後に、保護キャップ９０をＵ字管３０，３０…の上端部から取り外し（「保護キャップ取り外し工程」に相当）、これにより、地中熱交換器２１の設置工事が完了する。
【００４３】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００４４】
上述の実施形態では、保護キャップ９０として断面正円形状の円筒部９０ａを本体としたものを例示したが、何等これに限るものではない。例えば断面形状が三角形や四角形等の多角形形状の筒部を本体としても良く、更には、これ以外の断面形状の筒部を本体としても良い。但し、その場合についても、掘削管２４との干渉防止の観点からは、筒軸方向の全長に亘って断面形状が同形状に維持されている方が好ましい。
【００４５】
上述の実施形態では、管部材の一例として一対のＵ字管３０，３０を例示したが、管形状は何等Ｕ字状に限るものではない。例えば、二重管式の地中熱交換器の場合には、同熱交換器の本体として、外筒と、外筒内に挿入配置される内筒とが使用され、そして、外筒としては、下端部が密閉封止された単管状の管部材が竪孔２３に建て込まれることになるが、当該単管状の管部材であっても本発明に係る建て込み方法を適用可能である。なお、この単管状の管部材の一例としては、コルゲート管（corrugated  pipe：波形管）が挙げられ、当該管によれば、その外周面及び内周面の螺旋波形形状に基づく表面積の拡大効果により、地盤Ｇとコルゲート管内の熱媒体との熱交換効率を高めることができる。
【００４６】
上述の実施形態では、掘削管２４，２４同士の連結構造としてねじ構造を例示したが、何等これに限るものではなく、これ以外の周知の管継ぎ手構造を用いても良い。また、前述のねじ構造の説明の中では、掘削管２４の上側管端部２４ｅｕに雌ねじ２５ｆを設け、下側管端部２４ｅｄに雄ねじ２５ｍを設けていたが、この設置位置関係を上下逆さまにしても良い。すなわち、上側管端部２４ｅｕに雄ねじ２５ｍを設け、下側管端部２４ｅｄに雌ねじ２５ｆを設けても構わない。
【符号の説明】
【００４７】
１  建物、１１  地中熱利用システム、１５  ヒートポンプ、１７  循環ポンプ、
２１  地中熱交換器、２２  樹脂管、２３  竪孔（掘削孔）、２３ｅｕ  口部、
２３ｗ  削孔水、２４  掘削管、２４ｅｄ  下側管端部、２４ｅｕ  上側管端部、
２４Ｇ  掘削管の連結体、２５ｍ  雄ねじ、２５ｆ  雌ねじ、２６  熱媒体、
２７  充填材、３０  Ｕ字管（管部材）、３０ｕ  上端部、３０ｄ  下端部、
３０ｒ  巻き取り状態のＵ字管、３１  Ｕ字継手部、３５  単管、
３５ａ  管端開口、３５ｂ  管端開口、６０  ボーリングマシン、６２  アーム、
７０  リール装置、８０  引き上げ機構、９０  保護キャップ、
９０ａ  円筒部、９０ｂ  蓋部、９５  漏斗、９５ｐ  略円筒部、
９８  ホッパー、９８ａ  下端開口、９９  ミニクレーン、
ＳＰ２３  空間、Ｇ  地盤（地面）
【図２】
0005659767.tif 000002
【図３】
0005659767.tif 000003
【図６】
0005659767.tif 000004
【図７】
0005659767.tif 000005
【図１】
0005659767.tif 000006
【図４】
0005659767.tif 000007
【図５】
0005659767.tif 000008